(57)【特許請求の範囲】
【請求項１】
再生可能エネルギーから得られる直流電力を交流電力に変換して系統へ重畳する系統連
系装置の少なくとも前記重畳する電力もしくは系統へ逆潮流する電力のいずれか一方を表
示する表示部を備えた電力表示装置において、
前記表示部は、複数の第１画像データを読み込む読込回路と、少なくとも前記重畳する
電力もしくは系統へ逆潮流する電力の何れか一方を受信する通信回路と、前記受信した電
力を表示するための第２画像データを記憶するメモリとを有し、第１画像データ及び第２
画像データを表示し、
前記逆潮流する電力がある場合は、前記複数の第１画像データの中から輝度の高いものを
表示し、前記逆潮流する電力がない場合は、前記複数の第１画像データの中から輝度の低
いものを表示する
ことを特徴とする電力表示装置。
【請求項２】
再生可能エネルギーから得られる直流電力を交流電力に変換して系統へ重畳する系統連
系装置の少なくとも前記重畳する電力もしくは系統へ逆潮流する電力のいずれか一方を表
示する表示部を備えた電力表示装置において、
前記表示部は、複数の第１画像データを読み込む読込回路と、少なくとも前記重畳する
電力もしくは系統へ逆潮流する電力の何れか一方を受信する通信回路と、前記受信した電
力を表示するための第２画像データを記憶するメモリとを有し、第１画像データ及び第２
画像データを表示し、
前記重畳する電力がある場合は、前記複数の第１画像データの中から輝度の高いものを表
示し、前記重畳する電力がない場合は、前記複数の第１画像データの中から輝度の低いも
のを表示する
ことを特徴とする電力表示装置。
【請求項３】
再生可能エネルギーから得られる直流電力を交流電力に変換して系統へ重畳する系統連
系装置の少なくとも前記重畳する電力もしくは系統へ逆潮流する電力のいずれか一方を表
示する表示部を備えた電力表示装置において、
前記表示部は、第１画像データを読み込む読込回路と、少なくとも前記重畳する電力も
しくは系統へ逆潮流する電力の何れか一方を受信する通信回路と、前記受信した電力を表
示するための複数の第２画像データを記憶するメモリとを有し、第１画像データ及び第２
画像データを表示し、
前記逆潮流する電力がある場合は、前記複数の第２画像データの中から輝度の高いものを
表示し、前記逆潮流する電力がない場合は、前記複数の第２画像データの中から輝度の低
いものを表示する
ことを特徴とする電力表示装置。
【請求項４】
再生可能エネルギーから得られる直流電力を交流電力に変換して系統へ重畳する系統連
系装置の少なくとも前記重畳する電力もしくは系統へ逆潮流する電力のいずれか一方を表
示する表示部を備えた電力表示装置において、
前記表示部は、第１画像データを読み込む読込回路と、少なくとも前記重畳する電力も
しくは系統へ逆潮流する電力の何れか一方を受信する通信回路と、前記受信した電力を表
示するための複数の第２画像データを記憶するメモリとを有し、第１画像データ及び第２
画像データを表示し、
前記重畳する電力がある場合は、前記複数の第２画像データの中から輝度の高いものを表
示し、前記重畳する電力がない場合は、前記複数の第２画像データの中から輝度の低いも
のを表示する
ことを特徴とする電力表示装置。
【発明の詳細な説明】
【技術分野】
【０００１】
本発明は、電力表示装置に関する。
【０００２】
近年、太陽電池、或いは風力発電などの再生可能エネルギーから得られる直流電力を交流電力に変換して商用電力系統へ重畳する系統連系装置が提案されている。系統連系装置、及び商用電力系統は、屋内配線のつながる分電盤に接続されており、分電盤及び屋内配線を介して負荷へ電力を供給する。
【０００３】
この時、系統連系装置の重畳する電力（出力する電力）が、負荷の消費する電力よりも大きい場合、系統連系装置の重畳する電力は、負荷へ供給されると共に商用電力系統へ逆潮流する。
【０００４】
このような系統連系装置の出力する電力や、商用電力系統への逆潮流電力を、ユーザーに表示するための電力表示装置が提案されている（特許文献１）。
【特許文献１】特開２０１０−２８８９９
【０００５】
特許文献１に記載の電力表示装置は、系統連系装置の重畳する電力を検出する検出部を有しており、検出部には、検出した電力を表示するための画像データ、例えば、グラフ（テンプレート）が記憶されている。検出部は、検出した電力と記憶されている画像データとを合成して表示用の画像データを作成し表示部へ送信する。そして、表示部は、この送信された表示用の画像データを受信して表示する。これにより、系統連系装置の重畳する電力をユーザーへと知らせることができる。
【発明の開示】
【発明が解決しようとする課題】
【０００６】
しかしながら、従来の電力表示装置では、検出した電力と合成される画像データは、予め用意されているものしか利用できず、ユーザーは限られた画像データの中から好みの画像データを選んで利用するしかなかった。
【０００７】
本発明は、この様な点に鑑み成されたものであり、予め用意されている画像データ以外の画像データも利用できる電力表示装置を提供することを目的とする。
【課題を解決するための手段】
【０００８】
上記目的を達成するために、本発明の電力表示装置は、再生可能エネルギーから得られる直流電力を交流電力に変換して系統へ重畳する系統連系装置の少なくとも前記重畳する電力もしくは系統へ逆潮流する電力のいずれか一方を表示する表示部を備えた電力表示装置において、前記表示部は、記録媒体に記録されている画像データを読み込む読込回路と、少なくとも前記重畳する電力もしくは系統へ逆潮流する電力の何れか一方を受信する通信回路とを有し、前記受信した電力、及び前記画像データを表示することを特徴とする。
【０００９】
この様にすることで、ユーザーが自由に用意した画像データを記録媒体に記録し、この記録媒体に記録されている画像データを表示部が読込み表示するため、予め用意されている画像データ以外の画像データも利用できるようになる。
【００１０】
また、上述の発明において、前記表示部は、前記画像データと、前記受信した電力と、を重ねて表示することを特徴とする。
【００１１】
また、上述の発明において、ユーザーからの操作を受け付ける操作部を備え、前記操作部への操作が所定時間無い場合、或いは前記画像データを表示する指示を前記操作部により受け付けた場合、前記表示部は、前記画像データを表示することを特徴とする。
【００１２】
また、上述の発明において、前記記録媒体には複数の前記画像データが記録され、前記重畳される電力もしく前記逆潮流される電力の大きさに基づいて前記複数の画像データから表示する画像データを選択して前記表示部へ表示する。
【００１３】
また、上述の発明において、前記逆潮流する電力がある場合と無い場合とで異なる画像データを選択することを特徴とする。
【００１４】
また、上述の発明において、前記重畳する電力がある場合と無い場合とで異なる画像データを選択することを特徴とする。
【発明の効果】
【００１５】
本発明によれば、予め用意されている画像データ以外の画像データも利用できる電力表示装置を提供することができる。
【図面の簡単な説明】
【００１６】
【図１】本実施形態における電力表示装置４の接続関係を示す構成図である。
【図２】本実施形態における電力表示装置４の表示部４２の外観図である。
【図３】画像データの一例を示す図である。
【発明を実施するための最良の形態】
【００１７】
以下、図面に基づき本発明の実施形態を詳述する。図１は本実施形態における電力表示装置４の接続関係を示す構成図である。
【００１８】
電力表示装置４は、系統連系装置２、分電盤３、及び無線のＬＡＮルータ８に接続される。
【００１９】
系統連系装置２は、屋内配線６１のつながる分電盤３に配線６３により接続される。また、商用電力系統５は、分電盤３に配線６２により接続される。系統連系装置２は、太陽電池１（再生可能エネルギー）から得られる直流電力を交流電力に変換して分電盤３を介して商用電力系統５へ重畳する。
【００２０】
太陽電池１は、日射量に応じて発電量が変化する。また、太陽電池１は、複数の単セルの太陽電池を有し、複数の単セルの太陽電池を直列接続及び／又は並列接続することにより構成されている。例えば、最大電圧が３００Ｖ、３８０Ｖ、定格電圧が２００Ｖ、２５０Ｖ、出力２．４ｋＷ、出力４．８ｋＷなどである。
【００２１】
系統連系装置２は、昇圧回路２１、インバータ回路２２、フィルタ回路２３、系統連系用リレー２４、及び系統連系制御回路２５を有する。
【００２２】
昇圧回路２１は、図１に示すように、リアクトル、スイッチ素子、ダイオードを有する昇圧チョッパ回路により構成され、スイッチ素子のＯＮデューティ比を制御することにより、系統連系装置２に入力された直流電力を電圧を昇圧する。
【００２３】
インバータ回路２２は、単相フルブリッジ接続した複数のスイッチ素子により構成される。このスイッチ素子をＰＷＭ制御に基づいてＯＮ／ＯＦＦすることにより、昇圧回路２１の出力する直流電力を交流電力に変換する。インバータ回路２２は変換した交流電力をフィルタ回路２３に出力する。
【００２４】
フィルタ回路２３は、２つのリアクトルとコンデンサにより構成され、インバータ回路２２の出力する交流電力の高周波成分を除去する。高周波成分が除去された交流電力は、系統連系用リレー２４を介して分電盤３へ出力された後商用電力系統５へ重畳される。
【００２５】
系統連系制御回路２５は、昇圧回路２１、インバータ回路２２、及び系統連系用リレー２４の動作を制御する。また、系統連系制御回路２５は、電力表示装置４と通信を行う。通信では、系統連系装置２の運転状態や系統連系装置２の内部で計測された太陽電池１の発電電力（系統連系装置２の出力する電力）などの情報を電力表示装置４へ送信する。太陽電池１の発電電力は昇圧回路２１への入力電流と入力電圧の積、昇圧回路２１の出力電流と出力電圧の積、インバータ回路２２の出力電流と出力電圧の積等により求めることができる。
【００２６】
分電盤３内では、系統連系装置２の配線６３、商用電力系統５の配線６２、及び複数の屋内配線６１を接続する。具体的には、分電盤３内では、系統連系装置２の配線６３及び商用電力系統５の配線６２が接続されたラインから、複数の屋内配線６１が分岐するように接続される。このようにして、系統連系装置２及び商用電力系統５から供給される電力が各屋内配線６１に分電され、屋内配線６１に接続される家庭用負荷６へ電力が供給される。また、この際に、系統連系装置２が出力する電力が家庭用負荷６の消費電力が系統連系装置２の出力電力を下回ると余ったこの出力電力が商用電力系統５へ逆潮流する。
【００２７】
電力表示装置４は、検出部４１と、表示部４２を有しており、検出部４１と、表示部４２は別々の筺体に実装されている。また、検出部４１、表示部４２、パーソナルコンピュータ５１（以下、パソコン５１）、テレビ５２は、無線ＬＡＮ（Ｌｏｃａｌ  Ａｒｅａ  Ｎｅｔｗｏｒｋ）ルータ８を介してＬＡＮ接続されている。また、ＬＡＮルータ８は、インターネット７に接続されており、ＬＡＮルータ８の範囲外ではインターネット７を介して携帯端末機器５３と接続されている。尚、パソコン５１、テレビ５２、携帯端末機器５３を電力表示装置として用いる際は必要に応じて夫々専用のプログラムを予めインストールする必要がある。またはインターネットブラウザを搭載した機器であれば容易に表示することが可能である。
【００２８】
検出部４１は、系統連系装置２と信号線により接続されており、シリアル通信（例えば、ＲＳ４８５規格の通信）により系統連系装置２と通信を行う（系統連系装置２から出力される情報の受信を行う）。
【００２９】
また、上述したように、検出部４１は、ＬＡＮルータ８と無線ＬＡＮ（例えば、ＩＥＥＥ８０２.１１  ｂ／ｇ規格など）により接続される。検出部４１はこの無線ＬＡＮの信号経路を介してＬＡＮルータ８に接続される機器（表示部４２、パソコン５１、テレビ５２、携帯端末機器５３）と相互に通信する。
【００３０】
検出部４１は、分電盤３に接続される配線６１、６２、６３の電流を検出可能な電流センサＣＴ１、ＣＴ２に接続される。そして、検出部４１は、電流センサＣＴ１、ＣＴ２の配置される位置の電流を検出する。本実施形態では、電流センサＣＴ１は、屋内配線６１に配置されており、家庭内負荷６の電流を検出する。電流センサＣＴ２は、配線６２に配置されており、商用電力系統５の供給する電流（或いは逆潮流する電流）を検出する。
【００３１】
また、検出部４１は、電流センサＣＴ１、ＣＴ２から得られる電流に基づいて、家庭用負荷６の消費電力と逆潮流する電力を演算し、単位時間毎の家庭用負荷６の消費電力量と逆潮流する電力量を演算する。単位時間には、特定の日時の時間帯を用い、例えば、２０１１年９月１日の８時台、２０１１年９月１日の９時台などを利用する。
【００３２】
電力は、分電盤３における電圧（１００Ｖ、２００Ｖなど）が予め決まっているため、得られた電流（実効値）と電圧との積により求めている。尚、実効電圧を検出し実行電流との積で電力量を算出しても良い。電力量は、電力を周期的（例えば、数十ｍｓｅｃ〜数百ｍｓｅｃごと）に計測するようにし、単位時間内に計測された電力の和に計測周期を積算することにより求めることができる。単位時間内に電力Ｐ１〜電力Ｐｎが得られ、計測周期をＴｍとすると、電力量Ｐｈは、Ｐｈ＝Ｔｍ×（Ｐ１＋・・・＋Ｐｎ）となる。
【００３３】
検出部４１は、周期的（例えば、数ｓｅｃ〜数十ｓｅｃごと）に系統連系装置２より送信される太陽電池１の発電電力（商用電力系統に重畳する電力）を受信して、単位時間毎の太陽電池１の発電電力量を演算する。
【００３４】
検出部４１は、時計機能を備えており、現在の年月日、及び時刻の時間情報が分かるようになっている。この機能を用いて、検出部４１は、演算された電力量（逆潮流する電力量、家庭用負荷６の消費電力量）と受信した電力量（太陽電池１の発電電力量）との単位時間を特定する。そして、特定した単位時間と、その単位時間の太陽電池１の発電電力量（系統連系装置２から出力された情報）、家庭用負荷６の消費電力量、逆潮流する電力量とを関連付けて表示用データとしてメモリへ記憶する。メモリには、共通の表示情報に基づく単位時間毎に表示用データが順に格納されるように構成されている。尚、逆潮流する電力は逆潮流する方向をプラスとする場合、商用電力系統５から電力の供給が必要な場合（太陽電池の発電電力＜家庭用負荷６全体の消費電力）はマイナスとなる。
【００３５】
検出部４１は、上述のようにして演算された現在の電力（太陽電池１の発電電力、逆潮流する電力、家庭用負荷６の消費電力）と、単位時間毎の電力量（太陽電池１の発電電力量、逆潮流する電力量、家庭用負荷６の消費電力量、或いは表示用データ）とをＬＡＮルータ８を介して、表示部４２、携帯端末５３、テレビ５２、パソコン５１へ送信する。このとき、単位時間毎の電力量は、送信先の機器より指定された期間のデータが送信される。
【００３６】
図２は、本実施形態における電力表示装置４の表示部４２の外観図である。図に示すように、表示部４２には、筺体４２０の前面に表示パネル４２１が配置され、筺体４２０の側面にメモリーカード９を差し込むためのメモリースロット４２２が配置されている。また、表示部４２は、メモリースロット４２２に差し込まれたデータを読み込むための読込回路（不図示）と、検出部４１と通信を行う通信回路（不図示）とを備える。表示部４２は、この通信回路をＬＡＮルータ８と無線ＬＡＮ（例えば、ＩＥＥＥ８０２.１１  ｂ／ｇ規格など）により接続し、このＬＡＮルータ８を介して検出部４１と通信する。
【００３７】
表示パネル４２１は、液晶タッチパネルを利用し、ユーザーからの操作を受け付ける操作部を兼ねる構成になっている。
【００３８】
表示部４２は、表示パネル４２１から現在の電力を表示する旨の操作を受けると、検出部４１が検出した最新の電力を送信するように通信回路を用いて指令を送る。検出部４１は、この指令を受けて、最新の電力を送信し、以後、最新の電力を検出して更新するたびに表示部４２へ送るようにする。これにより、表示部４２では、リアルタイムで電力の表示を行うことができる。
【００３９】
表示部４２は、表示パネル４２１から所定期間の電力量を表示する旨の操作を受けると、この期間の単位時間毎の表示用データを送信するように通信回路を用いて検出部４１に指令を送る。検出部４１は、この指令を受けて、指定された期間の単位時間毎の電力量を送信し、表示部４２は、この単位時間毎の電力量を受信する。
【００４０】
表示部４２は、この電力や電力量を通信回路により受信すると、表示パネルに表示するための表示用画像データを作成して表示パネル４２１に表示する。図３は、画像データの一例を示す図である。表示部４２は、先ず、電力や電力量を表示するためのテンプレート画像データを用いて電力を表示するための電力表示用画像データを作成する。
【００４１】
テンプレート画像データには、例えば、電力や電力量の値を表示するための領域を設けた図形やイラスト（例えば、動物、植物、或いは何らかのキャラクターなど）、単位時間毎の電力量を示すグラフや表形式、動画を用いることができる。図３（ａ）は、丸い図形の領域の中に現在の電力を表示できるテンプレート画像データを用い、丸い図形の領域内に現在の電力の値を入れた電力表示用画像データの例である。
【００４２】
次に、電力表示用画像データと背景用画像データとを合成し表示用画像データを作成する。背景用画像データには、単一の色が指定された画像データや、写真、或いはイラスト（例えば、風景、動物、植物、或いは何らかのキャラクターなど）などの画像データを用いる。図３（ｂ）に背景用画像データの一例を示す。電力表示用画像データと背景用画像データとを合成は、電力表示用画像データが上になるように背景用画像データと電力表示用画像データ（表示部４２が受信した電力）を重ねることで行う。
【００４３】
これにより、表示用画像データが作成され、表示部４２は、電力量のグラフや、現在の電力を表示パネル４２１に表示できる。図３（ｃ）は、図３（ａ）と、図３（ｂ）とを合成した場合の表示用画像データの例を示す。
【００４４】
テンプレート画像データや背景用画像データは、予め表示部４２のメモリに記憶されているものを読み込んだり、メモリーカード９に記憶されているものを読み込んで利用する。また、メモリーカード９に記憶されているものを予め読み込んで表示部４２のメモリに記憶し、この記憶されたものを利用しても良い。メモリーカード９へは、ユーザーが自分の好むテンプレート画像データや背景用画像データを、パソコン等を利用して記憶することができる。これらの画像データは、メモリーカード９の容量を超えない限り、いくつでも複数記憶させることができる。
【００４５】
表示部４２は、現在の電力を表示する際に、現在の電力に応じて複数のテンプレート画像データや背景用画像データから表示する画像データを選択して合成し、表示パネル４２１に表示用画像データを表示する。具体的には、逆潮流する電力がある場合と無い場合とで異なる画像データを選択する。また、太陽電池の発電電力がある場合と無い場合とで異なる画像データを選択する。
【００４６】
この時、テンプレート画像データは、それぞれの場合（逆潮流の有無や太陽電池１の発電電力の有無）を示す様な図形を用意すると良い。例えば、図３（ａ）は逆潮流する電力がある場合の電力用表示画像データの例であるが、逆潮流する電力があることが見て分かりやすいようにパワコンから系統に向かって矢印を配置している。
【００４７】
背景用画像データは、予めユーザーがどの場合にどの画像データを使用するかを決めることができるように構成する。例えば、ユーザーは、表示パネル４２１を操作して使用する画像を決定することができる。このようにすることで、表示部４２は画像データ（テンプレート画像データ、背景用画像データなど）を選択することができる。
【００４８】
また、画像データの輝度に応じて画像データを自動で選択する方法もある。この際に、逆潮流する電力がある場合と無い場合とで異なる背景用画像データを選択する場合について以下に述べる。逆潮流する電力がある場合は、複数の背景用画像データの中から輝度が高いものを選択し、逆潮流する電力がない場合は、輝度の低いものを選択する。このようにすることで、逆潮流がある場合に、明るい画像が表示されるようになり、逆潮流の有無が視覚的に分かりやすくなる。また、液晶タッチパネルにＮＢモードのもの（Ｎｏｒｍａｌｌｙ  Ｂｌａｃｋモード：液晶に電圧を印加していない状態で暗表示（黒表示）となるもの）を利用している場合は、逆潮流がある場合に、表示に多くの電力が必要な明るい画像を表示し、逆潮流が無い場合に、電力をあまり必要としない暗い画像を表示する。このため、逆潮流の有無を容易に判別できるとともに、明るい画像を表示する場合は、太陽電池の発電電力を利用でき、逆潮流がない場合は、暗い画像を表示して節電するため、買電する電力を少なくすることができる。尚、液晶を利用したものについて述べたが、自発光素子（例えば、有機ＥＬなど）を利用する場合も、明るい画像を表示する際に電力が必要になるため同様に買電する電力を少なくすることができる。
【００４９】
また、太陽電池の発電電力がある場合と無い場合とで異なる背景用画像データを選択する場合について述べる。太陽電池の発電電力がある場合は、複数の背景用画像データの中から輝度が高いものを選択し、太陽電池の発電電力がない場合は、輝度の低いものを選択する。このようにすることで、このようにすることで、太陽電池１の発電電力がある場合に、明るい画像が表示されるようになり、太陽電池１の発電電力の有無が視覚的に分かりやすくなる。また、液晶タッチパネルにＮＢモードのものを利用している場合は、太陽電池の発電電力が無い場合に、電力をあまり必要としない暗い画像を表示して節電することができる。
【００５０】
また、表示部４２と同様の構成をパソコン５１、テレビ５２、携帯端末機器５３が有することで、これらの有する表示パネルに、太陽電池１の発電電力、逆潮流する電力、家庭用負荷６の消費電力などを表示することもできる。すなわち、無線ＬＡＮの通信経路を怪介して相互通信を可能に成すことができ、専用の表示部を追加することなくパソコンやテレビ等の複数機器で同時に消費電力などを見ることができ家庭内での情報共有が容易になる。
【００５１】
以上の実施形態によれば、ユーザーが自由に用意した画像データを記録媒体に記録し、この記録媒体に記録されている画像データを表示部が読込み表示するため、予め用意されている画像データ以外の画像データも利用できるようになる。
【００５２】
また、現在の電力の大きさに基づいて異なるテンプレート画像データを選択するようにしたので、太陽電池の発電電力、負荷の消費電力、逆潮流する電力の状況が視覚的に分かりやすくユーザーに伝わるようになる。
【００５３】
また、現在の電力の大きさに基づいて異なる画像データを選択するようにしたので、太陽電池の発電電力、負荷の消費電力、逆潮流する電力の状況が視覚的に分かりやすくユーザーに伝わるようになる。特に、背景用画像データを変更した場合は、表示パネル全体が変わるため、テンプレート画像データを変更した場合よりもより遠くから表示用パネルを見たとしても電力の状況がユーザーに伝わるようになる。
【００５４】
以上、本発明の実施形態について説明したが、以上の説明は本発明の理解を容易にするためのものであり、本発明を限定するものではない。本発明はその趣旨を逸脱することなく、変更、改良され得ると共に本発明にはその等価物が含まれることは勿論である。 
【００５５】
例えば、本実施形態では、記録媒体を接続し、その記録媒体に記録されている画像データを読み込んで表示用画像データを作成したが、ネットワーク７を経由して画像データを提供しているサーバ等に接続し、このサーバ等から画像データを読み込んで利用するようにしても良い。
【００５６】
例えば、表示パネル４２１への操作が所定時間無い場合、或いは画像データを表示する指示を表示パネル４２１により受け付けた場合、表示部４２は、画像データを表示するようにしても良い。このようにすることで、表示部４２をデジタルフォトフレームのように利用することができる。
【００５７】
例えば、逆潮流する電力がある場合と無い場合とで液晶の表示パネル４２１を照らすバックライトの明るさを変えるようにしても良い。具体的には、逆潮流する電力がある場合は、バックライトを明るくし、逆潮流する電力がない場合は、バックライトを暗くする。このようにすることで、逆潮流がある場合に、表示パネル４２１が明るくなり、逆潮流が無い場合に、表示パネル４２１が暗くなる。このため、逆潮流の有無を容易に判別できるとともに、表示パネル４２１を明るくする場合は、太陽電池の発電電力を利用でき、逆潮流がない場合は、表示パネル４２１を暗くして節電するため、買電する電力を少なくすることができる。
【００５８】
また、例えば、系統連系装置２が系統連系装置２のエラー情報を検出部４１へ送信し、検出部４１を介して表示部４２がこのエラー情報を受信した場合に、表示部４２は、警報を示唆する画像データを表示するようにしても良い。この場合、警報を示唆する画像データは、表示パネル４２１を利用して設定可能にする（例えば、背景画像用データの中から選べるようにする）。
【００５９】
また、複数の背景用画像データから自動で選択するようにもできる。この場合、画像データを構成する赤、緑、青の要素の内、赤の要素が多い（或いは、赤の要素が他の要素と比べて割合が多い）画像データを選択するようにする。このようにすることで、系統連装置２にエラーがあった場合には、赤みがかった画像を表示するため、エラーが生じたことを分かりやすくユーザーに伝えることができる。また、或いは、選択した画像データの赤成分が強調されるよう（赤成分だけを抽出、赤成分を増加、赤成分以外の成分を減少）に画像処理したものを利用しても良い。
【００６０】
また、例えば、表示部４２は、太陽電池１の発電電力量、家庭用負荷６の消費電力量、或いは逆潮流する電力量が一定値に達した際に表示する画像データを予め設定しておき、これらの電力量が一定値に達した際にこの画像データを表示するようにしても良い。このようにすることで、ユーザーは目標とする値（前述の一定値）に太陽電池１の発電電力量、家庭用負荷６の消費電力量、或いは逆潮流する電力量が到達したか否かを知ることができる。一定値には、予めユーザーが指定した値、目標売電金額から算出される電力量、指定期間よりも過去の電力量などを用いることができる。また、画像データの設定は、予め表示部４２内にある画像を設定しておいても良いし、メモリーカードの画像データや表示部４２に記憶されている画像データをユーザーに設定させるようにしても良い。
【００６１】
また、例えば、表示部４２は、所定の日時に達した際に表示する画像データを予め設定しておき、所定の日時に達した際にこの画像データを表示するようにしても良い。このようにすることで、ユーザーに誕生日や記念日などを報知することができる。画像データの設定は、予め表示部４２内にある画像を設定しておいても良いし、メモリーカードの画像データや表示部４２に記憶されている画像データをユーザーに設定させるようにしても良い。
【符号の説明】
【００６２】
１    太陽電池
２    系統連系装置
３    分電盤
４    電力表示装置
５    商用電力系統
６    家庭用負荷
７    インターネット
８   ＬＡＮルータ
２１  昇圧回路
２２  インバータ回路
２３  フィルタ回路
２４  系統連系用リレー
２５  系統連系制御回路
４１  検出部
４２  表示部
５１  パーソナルコンピュータ
５２  テレビ
５３  携帯端末機器
ＣＴ１  電流センサ
ＣＴ２  電流センサ
【図１】
0005903569.tif 000002
【図２】
0005903569.tif 000003
【図３】
0005903569.tif 000004